(57)【要約】      （修正有）【課題】簡単かつ低コストに丈寸法さらには幅寸法の調整を行うことが可能なカーテン装置を提供する。【解決手段】カーテン装置は、カーテンレール２にスライド可能に装着された複数のカーテンランナー３に吊り下げセットされるカーテンを備える。カーテンは、カーテン本体４ａと、カーテン本体の上部を覆う上部カーテン２０と、を備える。上部カーテン２０の背面には、カーテン本体が丈寸法調整可能に係止される複数の丈寸法調整部材１９が左右方向に所定間隔を空けて一体に設けられている。上部カーテンは、その上縁部が複数のカーテンランナーのそれぞれに係止される。カーテン装置は、上部カーテンの上縁部に設けられた、上部カーテンにギャザーを形成して幅寸法を調整するためのギャザー形成手段２１からなる第２調整部材をさらに備える。【選択図】図２０
0003217821.tif 000002
【実用新案登録請求の範囲】
【請求項１】
カーテンレールにスライド可能に装着された複数のカーテンランナーに吊り下げセットされるカーテンを備えたカーテン装置であって、
前記カーテンは、カーテン本体と、当該カーテン本体の上部を覆う上部カーテンと、を備え、
前記上部カーテンの背面に、前記カーテン本体が丈寸法調整可能に係止される複数の第１調整部材が左右方向に所定間隔を空けて一体に設けられ、
前記上部カーテンは、その上縁部が前記複数のカーテンランナーのそれぞれに係止され、
前記カーテンの幅寸法を調整可能な第２調整部材をさらに備えることを特徴とするカーテン装置。
【請求項２】
前記第２調整部材が、前記上部カーテンの上縁部に設けられた、前記上部カーテンにギャザーを形成するためのギャザー形成手段からなる、請求項１に記載のカーテン装置。
【請求項３】
前記第２調整部材を複数備え、前記第２調整部材が、隣り合う２つの前記カーテンランナー間にそれぞれ幅寸法調整可能に係止される、請求項１に記載のカーテン装置。
【請求項４】
前記カーテンランナーに着脱可能に装着される係止ピンをさらに備え、
前記第２調整部材に、前記係止ピンに挿通される複数の係止孔が形成されている、請求項３に記載のカーテン装置。
【請求項５】
前記係止ピンは、前記カーテンランナーのフック掛け孔に挿入される第１のピンと、当該第１のピンと略反対方向に延出して設けられ、前記第２調整部材の前記係止孔が挿通される第２のピンと、を備える、請求項４に記載のカーテン装置。
【請求項６】
前記第１調整部材に、前記カーテン本体の上縁部に装着されるカーテンフックが係止される複数の係止孔が形成されている、請求項１〜５のいずれか１項に記載のカーテン装置。
【請求項７】
前記係止ピンに挿通される挿通部を有するボタンをさらに備え、
前記上部カーテンの上縁部に、前記ボタンを留めるためのボタン孔が形成されている、請求項４又は５に記載のカーテン装置。
【請求項８】
請求項１〜７のいずれか１項に記載のカーテン装置に使用される上部カーテンであって、
前記上部カーテンの背面に、前記カーテン本体が丈寸法調整可能に係止される複数の第１調整部材が左右方向に所定間隔を空けて一体に設けられていることを特徴とする上部カーテン。
【請求項９】
前記第１調整部材に、前記カーテン本体の上縁部に装着されるカーテンフックが係止される複数の係止孔が形成されている、請求項８に記載の上部カーテン。
【考案の詳細な説明】
【技術分野】
【０００１】
本考案は、住宅の窓等の透明ないし半透明素材製の仕切り部の室内側に吊り下げセットすることにより、戸外−室内間の視界を遮蔽する目隠し等のために使用されるカーテンを備えたカーテン装置、及び、当該カーテン装置を構成する上部カーテンに関する。さらに詳細には、本考案は、簡単かつ低コストに丈寸法さらには幅寸法の調整を行うことが可能で、意匠性の向上をも図ることが可能なカーテン装置、及び、当該カーテン装置を構成する上部カーテンに関する。
【背景技術】
【０００２】
カーテンは、オーダーメイドカーテンと既製カーテンとに大別される。オーダーメイドカーテンは、カーテンを設置する場所の寸法を実測し、この計測データに基づいて縫製されることから、比較的高価である。一方、既製カーテンは、規格化した寸法に基づいて縫製されることから、需要を見越した大量生産が可能で、比較的安価に提供することができる。
しかし、既製カーテンは、持ち帰って設置したときに寸法が合わないことが少なからずある。このように、既製カーテンであっても、カーテンを設置する場所の寸法（窓サイズ等）を計測して購入するのが通常であるが、正確に計測するのは面倒である。また、引越しした場合、引越し先の住宅の窓サイズを計測し、そのサイズが引っ越し前と同じであれば、以前使用していた既製カーテンをそのまま使用することができるが、サイズが違えば改めて購入しなければならず、余計な費用を必要とする。
【０００３】
そこで、従来、丈寸法あるいは幅寸法を調整できるようにしたカーテンが提案されている（例えば、特許文献１から３を参照）。
特許文献１に開示されたカーテンは、カーテンレールフック又はカーテンポールに吊り下げられる上部カーテンと、該上部カーテンに係止されるカーテン本体とを有し、前記上部カーテンは、室内側の第１のカーテン片と、室外側の第２のカーテン片とで構成され、前記上部カーテンには、前記第２のカーテン片の室内側の面に、縦方向に延びる第１の面ファスナテープからなる第１係合部材が設けられ、前記カーテン本体には、その室外側の面の上端部に第２の面ファスナテープからなる第２係合部材が設けられている。そして、前記第１，第２の係合部材の係止によって、前記第２のカーテン片の任意の高さ位置に前記カーテン本体を固定することができるようにされている（丈寸法調整）。
特許文献２に開示されたカーテンは、所定のプリーツ形状を記憶・保持しているカーテン生地の水平方向に取り付けられる固定帯と、カーテンの生地幅調節帯と、カーテン用フックとから構成され、前記固定帯は、２つの挿通孔用湾出部が適宜間隔を開けて上下二段に設置されて形成される挿通部を、帯の水平方向に連続して設けて成り、前記生地幅調節帯は、帯の垂直方向に挿通孔を有する挿通孔用湾出部を水平方向に連続して設けて成り、垂直方向に位置する固定帯と生地幅調節帯の挿通孔用湾出部の夫々にカーテン用フックの固定杆を挿通させるようにされている。
特許文献３に開示されたカーテンは、それぞれ同数の形状記憶されたプリーツを備えた表生地と裏生地とが、当該プリーツの各谷折り部において互いに重合され、当該重合部において互いに接着されてなり、前記表生地と裏生地のプリーツの山折り部は互いに同一方向に屈曲しており、表生地の山折り部の生地幅が裏生地の山折り部の生地幅より大きく設定され、それによって、展開時に、表生地の山折り部と裏生地の山折り部との間に空間が形成され、裏生地が表生地のプリーツピッチの保持機能を有し、プリーツが、上下方向に延びる向きに用いられることを特徴としている。
【先行技術文献】
【特許文献】
【０００４】
【特許文献１】実用新案登録第３１６２３３３号公報
【特許文献２】特開平９−１００９４号公報
【特許文献３】特開２０１０−１９６４２３号公報
【考案の概要】
【考案が解決しようとする課題】
【０００５】
しかし、特許文献１に開示されたカーテンは、第１，第２の面ファスナテープの係止によって、第２のカーテン片の任意の高さ位置にカーテン本体を固定するものであるため、第２のカーテン片とカーテン本体に面ファスナテープを縫い込む必要がある。従って、既製カーテンをそのまま用いることはできず、コスト高になるという問題点がある。また、第１，第２の面ファスナテープの係止による丈寸法の調整では、カーテン本体が第２のカーテン片に対してズレてしまうことがある。これに加えて、丈の微調整をしたい場合であってもカーテン全体をファスナテープから一度離して、固定しなくてはならないため、これが丈寸法の調整を困難にしている。
さらに、新たな課題として、カーテンは、横方向に同一の距離を保つヒダが膨らみを示すことで、カーテンならではの見た目の美しさを保持できる。したがって、丈寸法の調整が可能となるのみならず、幅寸法、特にヒダの膨らみとなる長さの調整が可能であることが望ましい。しかし、特許文献１では、この課題が全く考慮されていない。
【０００６】
また、特許文献２，３に開示されたカーテンは、所定のプリーツ形状を記憶しているカーテン生地を前提とするものであるため、コスト高になるという問題点がある。
そして、これらの文献に開示された技術を組み合わせて、カーテンの丈寸法と幅寸法の両方を調整しようとすると、構成がかなり複雑になってしまう。
【０００７】
本考案は、従来技術における前記課題を解決するためになされたものであり、簡単かつ低コストに丈寸法さらには幅寸法（ヒダの幅寸法）の調整を行うことが可能で、意匠性の向上をも図ることが可能なカーテン装置、及び、当該カーテン装置を構成する上部カーテンを提供することを目的とする。
【課題を解決するための手段】
【０００８】
前記目的を達成するため、本考案に係るカーテン装置の構成は、
（１）カーテンレールにスライド可能に装着された複数のカーテンランナーに吊り下げセットされるカーテンを備えたカーテン装置であって、
前記カーテンは、カーテン本体と、当該カーテン本体の上部を覆う上部カーテンと、を備え、
前記上部カーテンの背面に、前記カーテン本体が丈寸法調整可能に係止される複数の第１調整部材が左右方向に所定間隔を空けて一体に設けられ、
前記上部カーテンは、その上縁部が前記複数のカーテンランナーのそれぞれに係止され、
前記カーテンの幅寸法を調整可能な第２調整部材をさらに備えることを特徴とする。
【０００９】
本考案において、「第１調整部材」は、カーテン本体の丈寸法を数センチから数十センチ程度の範囲で調整できる長さを有していればよい。尚、第１調整部材の形状は、例えば、紐状のものであっても、テープ状（長い長方形状）のものであってもよい。
【００１０】
本考案のカーテン装置の上記（１）の構成によれば、上部カーテンを、カーテンレールにスライド可能に装着された複数のカーテンランナーに吊り下げセットし、既製のカーテン本体を、複数の第１調整部材の適当な高さ位置に係止するだけで、カーテンの丈寸法を調整することができる。また、本考案のカーテン装置の上記（１）の構成によれば、カーテンの幅寸法を調整することもできる。従って、本考案のカーテン装置の上記（１）の構成によれば、簡単かつ低コストにカーテンの丈寸法さらには幅寸法を調整することが可能なカーテン装置を提供することができる。
【００１１】
本考案のカーテン装置の上記（１）の構成においては、以下の（２）〜（７）のような構成にすることが好ましい。
【００１２】
（２）前記第２調整部材が、前記上部カーテンの上縁部に設けられた、前記上部カーテンにギャザーを形成するためのギャザー形成手段からなる。
【００１３】
（３）前記第２調整部材を複数備え、前記第２調整部材が、隣り合う２つの前記カーテンランナー間にそれぞれ幅寸法調整可能に係止される。
【００１４】
上記（３）の好ましい構成によれば、第２調整部材を、隣り合う２つのカーテンランナー間に適当な長さをもって係止するだけで、カーテンの幅寸法（ヒダの一つ一つの幅を調整することで全体の幅寸法）を調整することができる。従って、上記（２）の好ましい構成によれば、カーテンの幅寸法を簡単に調整することが可能なカーテン装置を提供することができる。そして、隣り合う２つのカーテンランナー間の最大距離を適当な距離に調整することにより、カーテン（カーテン本体及び上部カーテン）を簡単にヒダ（プリーツ状）にして、カーテンの意匠性の向上を図ることができる。
【００１５】
（４）上記（３）の構成において、前記カーテンランナーに着脱可能に装着される係止ピンをさらに備え、
前記第２調整部材に、前記係止ピンに挿通される複数の係止孔が形成されている。
【００１６】
上記（４）の好ましい構成によれば、第２調整部材をカーテンランナーに簡単に係止することが可能となる。
【００１７】
（５）上記（４）の構成において、前記係止ピンは、前記カーテンランナーのフック掛け孔に挿入される第１のピンと、当該第１のピンと略反対方向に延出して設けられ、前記第２調整部材の前記係止孔が挿通される第２のピンと、を備える。
【００１８】
上記（５）の好ましい構成によれば、カーテンランナーに簡単に装着し、第２調整部材の係止孔を挿通させることが可能な係止ピンを得ることができる。
【００１９】
（６）前記第１調整部材に、前記カーテン本体の上縁部に装着されるカーテンフックが係止される複数の係止孔が形成されている。
【００２０】
上記（６）の好ましい構成によれば、カーテン本体を、第１調整部材の適当な高さ位置に簡単に係止することが可能となる。
【００２１】
（７）上記（４）又は（５）の構成において、前記係止ピンに挿通される挿通部を有するボタンをさらに備え、
前記上部カーテンの上縁部に、前記ボタンを留めるためのボタン孔が形成されている。
【００２２】
上記（７）の好ましい構成によれば、ボタンをボタン孔に留めるだけで、上部カーテンの上縁部を複数のカーテンランナーのそれぞれに簡単に係止することができる。また、ボタンがカーテン上縁部に現れることとなるため、意匠性に富んだボタンを用いることにより、カーテンの意匠性の向上をも図ることができる。
【００２３】
また、本考案に係る上部カーテンの構成は、
（８）上記（１）から（７）のいずれかの構成に記載のカーテン装置に使用される上部カーテンであって、
前記上部カーテンの背面に、前記カーテン本体が丈寸法調整可能に係止される複数の第１調整部材が左右方向に所定間隔を空けて一体に設けられていることを特徴とする。
【００２４】
本考案の上部カーテンの上記（８）の構成によれば、当該上部カーテンを、カーテンレールにスライド可能に装着された複数のカーテンランナーに吊り下げセットし、既製のカーテン本体を、複数の第１調整部材の適当な高さ位置に係止するだけで、カーテンの丈寸法を調整することができる。従って、本考案の上部カーテンの上記（７）の構成によれば、カーテンの丈寸法を、より簡単かつ低コストに調整することを可能とする上部カーテンを提供することができる。
【００２５】
本発明の上部カーテンの上記（８）の構成においては、以下の（９）のような構成にすることが好ましい。
【００２６】
（９）前記第１調整部材に、前記カーテン本体の上縁部に装着されるカーテンフックが係止される複数の係止孔が形成されている。
【００２７】
上記（９）の好ましい構成によれば、カーテン本体を、第１調整部材の適当な高さ位置に簡単に係止することが可能となる。
【考案の効果】
【００２８】
本考案によれば、簡単かつ低コストに丈寸法さらには幅寸法の調整を行うことが可能で、意匠性の向上をも図ることが可能なカーテン装置、及び、当該カーテン装置を構成する上部カーテンを提供することができる。
【図面の簡単な説明】
【００２９】
【図１】図１は本考案の実施の形態１におけるカーテン装置の構成（上部カーテンを取り外した状態）を示す正面図である。
【図２】図２は本考案の実施の形態１におけるカーテン装置の構成（上部カーテンを取り付けた状態）を示す正面図である。
【図３】図３は本考案の実施の形態１におけるカーテン装置の主な構成部材を示す図である。
【図４】図４は本考案の実施の形態１におけるカーテン装置の構成部材である係止ピンの構成を示す斜視図である。
【図５】図５は本考案の実施の形態１におけるカーテン装置の構成部材である係止ピンの使用状態を示す斜視図である。
【図６】図６は本考案の実施の形態１におけるカーテン装置の構成部材である調整部材の第１の使用態様を示す正面図である。
【図７】図７は本考案の実施の形態１におけるカーテン装置の構成部材である調整部材の第２の使用態様を示す正面図である。
【図８】図８は本考案の実施の形態１におけるカーテン装置の構成部材であるボタンの装着方法を示す正面図である。
【図９】図９は本考案の実施の形態１におけるカーテン装置の構成部材である幅寸法調整用の調整部材による効果を示す図である。
【図１０】図１０は本考案の実施の形態１におけるカーテン装置の他の構成を示す正面図である。
【図１１】図１１は本考案の実施の形態１におけるカーテン装置の構成部材である調整部材の他の構成を示す斜視図である。
【図１２】図１２は本考案の実施の形態１におけるカーテン装置の構成部材である調整部材のさらなる他の構成を示す正面図である。
【図１３】図１３は本考案の実施の形態１におけるカーテン装置の構成部材である調整部材のさらなる他の構成に用いられるコキカンを示す斜視図である。
【図１４】図１４は本考案の実施の形態１におけるカーテン装置の構成部材である調整部材のさらなる他の構成の、コキカンへのベルト基端部の取付状態を示す斜視図である。
【図１５】図１５は本考案の実施の形態１におけるカーテン装置の構成部材である調整部材のさらなる他の構成の、組立て方法を示す斜視図である。
【図１６】図１６は本考案の実施の形態２における上部カーテンの構成を示す背面図である。
【図１７】図１７は本考案の実施の形態２における上部カーテンの構成（カーテン本体が係止された状態）を示す正面図である。
【図１８】図１８は本考案の実施の形態２における上部カーテンの構成（カーテン本体が係止された状態）を示す背面図である。
【図１９】図１９は本考案の実施の形態３における上部カーテンの構成を示す正面図である。
【図２０】図２０は本考案の実施の形態３における上部カーテンにカーテン本体が係止された状態を示す正面図である。
【考案を実施するための形態】
【００３０】
以下、好適な実施の形態を用いて本考案をさらに具体的に説明する。但し、下記の実施の形態は本考案を具現化した例に過ぎず、本考案はこれに限定されるものではない。
【００３１】
[実施の形態１]
（カーテン装置の構成）
まず、本考案の実施の形態１におけるカーテン装置の構成について、図１〜図９を参照しながら説明する。
【００３２】
図１は本考案の実施の形態１におけるカーテン装置の構成（上部カーテンを取り外した状態）を示す正面図、図２は当該カーテン装置の構成（上部カーテンを取り付けた状態）を示す正面図、図３は当該カーテン装置の主な構成部材を示す図、図４は当該カーテン装置の構成部材である係止ピンの構成を示す斜視図、図５は当該カーテン装置の構成部材である係止ピンの使用状態を示す斜視図、図６は当該カーテン装置の構成部材である調整部材の第１の使用態様を示す正面図、図７は当該カーテン装置の構成部材である調整部材の第２の使用態様を示す正面図、図８は当該カーテン装置の構成部材であるボタンの装着方法を示す正面図、図９は当該カーテン装置の構成部材である幅寸法調整用の調整部材による効果を示す図である。
【００３３】
図１，図２に示すように、本実施の形態のカーテン装置１は、カーテンレール２にスライド可能に装着された複数のカーテンランナー３に吊り下げセットされるカーテン４を備えたカーテン装置である。
カーテン４は、カーテン本体４ａと、当該カーテン本体４ａの上部を覆う上部カーテン４ｂと、を備えている。
カーテン本体４ａは、当該カーテン本体４ａの上縁部に所定間隔を空けて係止される複数の調整部材５（５ａ）を介して複数のカーテンランナー３のそれぞれに丈寸法調整可能に係止される。
上部カーテン４ｂは、その上縁部が調整部材を介することなく複数のカーテンランナー３のそれぞれに係止される。
【００３４】
本実施の形態において、調整部材５（５ａ）は、カーテン本体４ａの丈寸法を数センチから数十センチ程度の範囲で調整できる長さを有している。尚、調整部材５（５ａ）は、布製であり、ベルト状（長い長方形状）に形成されている。
【００３５】
本実施の形態のカーテン装置１の構成によれば、調整部材５（５ａ）を、既製のカーテン本体４ａの上縁部とカーテンランナー３との間に適当な長さをもって係止するだけで、カーテン４の丈寸法を調整することができる。従って、本実施の形態のカーテン装置１の構成によれば、カーテン４の丈寸法を簡単かつ低コストに調整することが可能なカーテン装置を提供することができる。
【００３６】
図１から図６に示すように、カーテン装置１は、カーテン４（カーテン本体４ａ及び上部カーテン４ｂ）を吊り下げセットするための構成部材として、カーテンレール２にスライド可能に装着された複数のカーテンランナー３と、当該カーテンランナー３のそれぞれに着脱可能に装着される複数の係止ピン６と、下端部がカーテン本体４ａの上縁部に所定間隔を空けて係止され、複数の係止ピン６のそれぞれに丈寸法調整可能に係止される複数の調整部材５（５ａ）と、複数の係止ピン６のそれぞれに係止される、上部カーテン４ｂを吊り下げセットするための複数のボタン７と、を備えている。
【００３７】
図３に示すように、ベルト状（長い長方形状）に形成された調整部材５（５ａ）には、表面側から裏面側に貫通して、係止ピン６に挿通される第１の係止孔８ａが所定間隔を空けて複数形成されている。ここで、第１の係止孔８ａには、補強のためにハトメ加工が施されている。
図３から図５に示すように、係止ピン６は、カーテンランナー３のフック掛け孔３ａに挿入される第１のピン６ａと、当該第１のピン６ａと略反対方向に延出して設けられ、調整部材５（５ａ）の第１の係止孔８ａが挿通される第２のピン６ｂと、を備えている。ここで、第１及び第２のピン６ａ，６ｂの先端は丸くなっており、これにより、人の指等を傷付けることがないようにされている。
かかる構成によれば、カーテンランナー３に簡単に装着し、調整部材５（５ａ）の第１の係止孔８ａを挿通させることが可能な係止ピン６を得ることができ、調整部材５（５ａ）をカーテンランナー３に簡単に係止することが可能となる（図６を参照）。
【００３８】
図４に示すように、上記した係止ピン６には、その両端部にピン受け６ｃ，６ｄが設けられており、必要に応じて、第１及び第２のピン６ａ，６ｂの先端を当該ピン受け６ｃ，６ｄ内に収納しておくことができるようにされている。
【００３９】
図３に示すように、ベルト状（長い長方形状）に形成された調整部材５（５ａ）の下端部には、表面側から裏面側に貫通して、後述するカーテンフック９に挿通される第２の係止孔８ｂが形成されている。ここで、第２の係止孔８ｂには、補強のためにハトメ加工が施されている。
図１，図６に示すように、カーテン本体４ａの上縁部には、所定間隔を空けて複数の吊架用タック部（図示せず）が形成されており、当該吊架用タック部のそれぞれにカーテンフック９が着脱可能に装着されている。そして、各カーテンフック９を各調整部材５（５ａ）の第２の係止孔８ｂに係止するようにされている。
かかる構成によれば、調整部材５（５ａ）をカーテン本体４ａの上縁部に簡単に係止することが可能となる。
【００４０】
図３，図８に示すように、ボタン７は、係止ピン６の第２のピン６ｂに挿通される挿通部７ａを有している。また、図２に示すように、上部カーテン４ａの上縁部には、ボタン７を留めるためのボタン孔１０が形成されている。
かかる構成によれば、ボタン７をボタン孔１０に留めるだけで、上部カーテン４ａの上縁部を複数のカーテンランナー３のそれぞれに簡単に係止することができる。また、ボタン７がカーテン４の上縁部に現れることとなるため、意匠性に富んだボタンを用いることにより、カーテン４の意匠性の向上をも図ることができる。
【００４１】
図１から図３、及び、図７，図８に示すように、上記調整部材５（５ａ）と同じ構造の調整部材５（５ｂ）が、隣り合う２つのカーテンランナー３，３間にそれぞれ幅寸法調整可能に係止される。
具体的には、調整部材５（５ｂ）の端部の第２の係止孔８ｂが左側のカーテンランナー３に装着された係止ピン６の第２のピン６ｂに挿通され、同じ調整部材５（５ｂ）の１つの第１の係止孔８ａが右側のカーテンランナー３に装着された係止ピン６の第２のピン６ｂに挿通される。
かかる構成によれば、調整部材５（５ｂ）を、隣り合う２つのカーテンランナー３，３間に適当な長さをもって係止するだけで、カーテン４の幅寸法を調整することができる。従って、かかる構成によれば、カーテン４の幅寸法を簡単に調整することが可能なカーテン装置を提供することができる。そして、隣り合う２つのカーテンランナー３，３間の最大距離を適当な距離に調整することにより、カーテン４（カーテン本体４ａ及び上部カーテン４ｂ）を簡単にプリーツ状にして、カーテン４の意匠性の向上を図ることができる。また、かかる構成によれば、同一の部材を用いてカーテン４の丈寸法と幅寸法の両方を調整することができるので、経済的である（低コスト化を図ることができる）。
【００４２】
図９（ａ）に、幅寸法調整用の調整部材（幅寸法調整部材）５（５ｂ）を装着しない場合のカーテン装置の様子を示し、図９（ｂ）に、幅寸法調整部材５（５ｂ）を装着した場合のカーテン装置の様子を示す。
幅寸法調整部材５（５ｂ）を装着した場合（図９（ｂ））には、幅寸法調整部材５（５ｂ）を装着しない場合（図９（ａ））に比べて綺麗なプリーツが付与されていることが分かる。
【００４３】
（カーテン装置のセット方法）
次に、本実施の形態におけるカーテン装置のセット方法について説明する。
【００４４】
まず、図１，図５に示すように、カーテンレール２にスライド可能に装着された複数のカーテンランナー３のそれぞれのフック掛け孔３ａに係止ピン６の第１のピン６ａを挿入することにより、各係止ピン６を各カーテンランナー３に装着する。
次いで、図１，図６に示すように、カーテン本体４ａの上縁部に装着された各カーテンフック９を、各調整部材５（５ａ）の第２の係止孔８ｂに係止し、同じ調整部材５（５ａ）の１つの第１の係止孔８ａを、対応するカーテンランナー３に装着された係止ピン６の第２のピン６ｂに挿通する。これにより、カーテン本体４ａが、当該カーテン本体４ａの上縁部に所定間隔を空けて係止される複数の調整部材５（５ａ）を介して複数のカーテンランナー３のそれぞれに丈寸法調整可能に係止される。
【００４５】
次いで、図１，図７に示すように、調整部材５（５ｂ）を、隣り合う２つのカーテンランナー３，３間にそれぞれ係止する。具体的には、調整部材５（５ｂ）の端部の第２の係止孔８ｂを、左側のカーテンランナー３に装着された係止ピン６の第２のピン６ｂに挿通し、同じ調整部材５（５ｂ）の１つの第１の係止孔８ａを、右側のカーテンランナー３に装着された係止ピン６の第２のピン６ｂに挿通する。これにより、隣り合う２つのカーテンランナー３，３間の最大距離が適当な距離に調整される。
【００４６】
次いで、図１，図８に示すように、各ボタン７の挿通部７ａを、各係止ピン６の第２のピン６ｂに挿通することにより、各ボタン７を各カーテンランナー３に装着する。
次いで、図２に示すように、各ボタン７を上部カーテン４ａの上縁部の各ボタン孔１０に留める。これにより、上部カーテン４ｂが吊り下げセットされ、カーテン本体４ａの上部が当該上部カーテン４ａによって覆われる。そして、これにより、調整部材５（５ａ，５ｂ）を見えなくすることができるので、見栄えが良くなる。また、上記のように、カーテン４の全体がプリーツ状となり、ボタン７による装飾効果も得られるので、意匠性の向上が図られる。
【００４７】
尚、本実施の形態においては、カーテン本体４ａの上縁部に装着された各カーテンフック９を、各調整部材５（５ａ）の第２の係止孔８ｂに係止することにより、複数の調整部材５（５ａ）をカーテン本体４ａの上縁部に所定間隔を空けて係止するようにした構成を例に挙げて説明したが、本考案は必ずしもこのような構成に限定されるものではない。例えば、安全ピン等を用いて、調整部材５（５ａ）の下端部をカーテン本体４ａの上縁部に係止するようにしてもよい。
【００４８】
また、本実施の形態においては、布製で、ベルト状（長い長方形状）に形成された調整部材５（５ａ，５ｂ）を例に挙げて説明したが、本考案は必ずしもこのような構成に限定されるものではない。調整部材の材質は、例えば樹脂や合皮等であってもよい。また、調整部材の形状は、例えば紐状であってもよい。尚、紐状の調整部材の場合には、第１及び第２の係止孔８ａ，８ｂの代わりに、例えば、係止ピン６の第２のピン６ｂやカーテンフック９を挿通するための輪っか等を設けておけばよい。
【００４９】
また、本実施の形態においては、ベルト状（長い長方形状）に形成された調整部材５（５ａ）に、表面側から裏面側に貫通して、係止ピン６に挿通される第１の係止孔８ａとカーテンフック９に挿通される第２の係止孔８ｂが形成されている場合を例に挙げて説明したが、本考案は必ずしもこのような構成に限定されるものではない。例えば、図１１に示すように、右側面側から左側面側に貫通して、係止ピンに挿通される第１の係止孔とカーテンフックに挿通される第２の係止孔が形成されていてもよい。
図１１に示す調整部材１２は、二重の布地により、ベルト状（長い長方形状）に形成されている。二重の布地は、左側面と右側面が開放され、上下に一定間隔を置いて複数箇所左右に縫合されている。そして、これにより、調整部材１２に、右側面側から左側面側に貫通して、係止ピンに挿通される第１の係止孔１３ａが所定間隔を空けて複数形成されている。
また、調整部材１２の下端部には、第１の係止孔１３ａの場合と同様にして、カーテンフックに挿通される第２の係止孔１３ｂが形成されている。
この調整部材１２は、幅寸法調整部材５（５ｂ）の代わりに用いることもできる。
【００５０】
また、本実施の形態においては、調整部材に複数の係止孔（あるいは、輪っか等）を形成し、いずれかの係止孔（あるいは、輪っか等）を、カーテンランナーに装着された係止ピンに挿通することにより、カーテンの丈寸法と幅寸法を調整できるようにしたカーテン装置を例に挙げて説明したが、本考案は必ずしもこのような構成に限定されるものではない。例えば、図１２〜図１５に示すように、コキカンを用いて、調整部材本体としてのベルトの長さを調整することにより、カーテンの丈寸法と幅寸法を調整できるようにしてもよい。
図１２に示す調整部材１４は、布製あるいは樹脂製のベルト１５と、当該ベルト１５の長さを調整するコキカン１６と、を備えており、ベルト１５の上端部には、カーテンランナーに装着された係止ピンに挿通される係止孔１７ａが形成されている。また、ベルト１５の下端部には、カーテンフックに挿通されるリング１７ｂが取り付けられている。
図１２，図１３に示すように、コキカン１６は、金属製あるいは樹脂製であり、枠体１６ａと中軸１６ｂとからなっている。
図１４，図１５に示すように、ベルト１５は、その基端に形成された環状部１５ａがコキカン１６の中軸１６ｂに取り付けられており、リング１７ｂが挿通された状態で、先端が枠体１６ａと中軸１６ｂとの間にある一方の隙間１６ｃから入れられ、中軸１６ｂを跨いで他方の隙間１６ｄから基端側の上に重なるように通される。これにより、図１２に示す状態の調整部材１４が得られる。そして、コキカン１６を片方の手で持ち、もう一方の手でベルト１５を上下にスライドさせることにより（図１５の矢印Ａ，Ｂを参照）、ベルト１５の長さ（図１２を参照）を調整することができる。
図１２に示すように、各ベルト１５の表面には、所定間隔の目盛り１５ｂがプリントされており、コキカン１６の枠体１６ａの上縁を、いずれかの目盛り１５ｂに合わせることにより、各ベルト１５の長さを簡単に揃えることができるようにされている。
【００５１】
また、本実施の形態においては、同一構造の、丈寸法調整用の調整部材５ａと幅寸法調整用の調整部材５ｂを用いる場合を例に挙げて説明したが、本考案は必ずしもこのような構成に限定されるものではない。丈寸法調整用の調整部材と幅寸法調整用の調整部材で、材質や形状等が異なっていてもよい。
【００５２】
また、本実施の形態においては、カーテン４の上縁部に現れるボタン７によってカーテン４の意匠性の向上を図る場合を例に挙げて説明したが、本考案は必ずしもこのような構成に限定されるものではない。例えば、上部カーテン４ｂの上縁部にリボン成形部材を設け、図１０に示すように、いろいろな結びのリボン１１がカーテン上縁部に現れるようにしてもよい。
また、カーテン４の上縁部に飾りチャーム等の金属の飾りを設けるようにしてもよく、これによってもカーテン４の意匠性の向上を図ることができる。
【００５３】
[実施の形態２]
次に、本考案の実施の形態２における上部カーテンの構成について、図１６から図１８を参照しながら説明する。
【００５４】
図１６は本考案の実施の形態２における上部カーテンの構成を示す背面図、図１７は当該上部カーテンの構成（カーテン本体が係止された状態）を示す正面図、図１８は当該上部カーテンの構成（カーテン本体が係止された状態）を示す背面図である。
【００５５】
図１６から図１８に示すように、本実施の形態の上部カーテン１８は、カーテンレール２にスライド可能に装着された複数のカーテンランナー３に吊り下げセットされ、カーテン本体４ａの上部を覆う上部カーテンである。
上部カーテン１８の上縁部には、ボタン７を留めるためのボタン孔１０が形成されており、当該上部カーテン１８は、上記実施の形態１の場合と同様、係止ピン６，ボタン７を介してカーテンランナー３に吊り下げセットされる。
尚、図１７，図１８においては、隣り合う２つのカーテンランナー３，３間にそれぞれ係止される調整部材５ｂ（図１，図２を参照）についての記載は省略している。
【００５６】
上部カーテン１８の背面には、カーテン本体４ａが丈寸法調整可能に係止される複数の丈寸法調整部材１９が左右方向に所定間隔を空けて一体に設けられている。より具体的には、丈寸法調整部材１９は、布製で、テープ状（長い長方形状）に形成され、上部カーテン１８の背面に縫合あるいは貼着されている。そして、各丈寸法調整部材１９には、カーテン本体４ａの上縁部に装着されるカーテンフック９が係止される複数の横向きの係止孔１９ａが上下に等間隔で形成されている。
【００５７】
本実施の形態において、丈寸法調整部材１９は、カーテン本体４ａの丈寸法を数センチから数十センチ程度の範囲で調整できる長さを有している。
【００５８】
本実施の形態の上部カーテン１８の構成によれば、当該上部カーテンを、カーテンレール２にスライド可能に装着された複数のカーテンランナー３に吊り下げセットし、既製のカーテン本体４ａを、複数の丈寸法調整部材１９の適当な高さ位置に係止するだけで、カーテンの丈寸法を調整することができる。従って、本実施の形態の上部カーテン１８の構成によれば、カーテンの丈寸法を、より簡単かつ低コストに調整することを可能とする上部カーテンを提供することができる。
また、丈寸法調整部材１９に、カーテン本体４ａの上縁部に装着されるカーテンフック９が係止される複数の係止孔１９ａが形成されているという好ましい構成によれば、カーテン本体４ａを、丈寸法調整部材１９の適当な高さ位置に簡単に係止することが可能となる。
【００５９】
尚、本実施の形態においては、上部カーテン１８が、係止ピン６，ボタン７を介してカーテンランナー３に吊り下げセットされる場合を例に挙げて説明したが、本考案は必ずしもこのような構成に限定されるものではない。例えば、安全ピン等を用いて、上部カーテン１８をカーテンランナー３に吊り下げセットするようにしてもよい。
【００６０】
また、本実施の形態においては、布製で、テープ状（長い長方形状）に形成された丈寸法調整部材１９を例に挙げて説明したが、本考案は必ずしもこのような構成に限定されるものではない。丈寸法調整部材の材質は、例えば樹脂や合皮等であってもよい。また、上部カーテンの背面に一体に設けられていれば、丈寸法調整部材は、例えば紐状のものであってもよい。尚、紐状の丈寸法調整部材の場合には、係止孔１９ａの代わりに、例えば、カーテンフック９が係止される複数の輪っか等を設けておけばよい。
【００６１】
[実施の形態３]
次に、本考案の実施の形態３における上部カーテンの構成について、図１９，図２０を参照しながら説明する。
【００６２】
図１９は本考案の実施の形態３における上部カーテンの構成を示す正面図、図２０は当該上部カーテンにカーテン本体が係止された状態を示す正面図である。尚、上記実施の形態２の上部カーテン１８における構成部材と同一の構成部材には同一の参照符号を付し、それらの詳細な説明は省略する。
【００６３】
図１９，図２０に示すように、本実施の形態の上部カーテン２０は、カーテンレール２にスライド可能に装着された複数のカーテンランナー３に吊り下げセットされ、カーテン本体４ａの上部を覆う上部カーテンである。
【００６４】
上部カーテン２０の上縁部には、当該上部カーテン２０にギャザーを形成するためのギャザー形成手段２１が設けられている。
より具体的には、ギャザー形成手段２１は、上部カーテン２０の表面の、ボタン孔１０と丈寸法調整部材１９との間に位置して横方向に縫着されたギャザーテープ２１ａと、当該ギャザーテープ２１ａに略左右対称に一点鎖線的に通された２本のギャザー用紐２１ｂと、を備えており、当該２本のギャザー用紐２１ｂはそれぞれ片側の端部が縫い止められている。そして、ギャザー用紐２１ｂの開放端を一方の手で持った状態で、他方の手で上部カーテン２０を片側の端部側に寄せていくことにより（図１９の矢印Ｃ，図２０の矢印Ｄを参照），上部カーテン２０にギャザーを形成することができる。尚、ギャザーを形成した後の２本のギャザー用紐２１ｂは、上部カーテン２０の左右方向の略中央で結ぶようにされている。また、ギャザーを形成した後、調整部材５ｂを、隣り合う２つのカーテンランナー３，３間にそれぞれ係止することにより、形成されたギャザーの形をしっかりと保持固定することができるようにされている。
ここで、ギャザー用紐２１ｂとしては、例えば、細い江戸打ち紐などを用いることができる。
【００６５】
本実施の形態の上部カーテン２０の構成によれば、当該上部カーテン２０に綺麗なギャザーを形成することができ（図２０を参照）、かつ、カーテン（カーテン本体及び上部カーテン）を簡単にヒダ（プリーツ状）にして、カーテンの幅寸法の調整を行うことができると共に、カーテンの意匠性の向上を図ることができる。
【００６６】
尚、本実施の形態においては、ギャザー用紐２１ｂを通すためのギャザーテープ２１ａが縫着されている場合を例に挙げて説明したが、本考案は必ずしもこのような構成に限定されるものではない。ギャザー用紐２１ｂは、上部カーテン２０に直接通すようにしてもよい。
【００６７】
また、本実施の形態においては、ギャザー用紐２１ｂを、一点鎖線的に通す場合を例に挙げて説明したが、本考案は必ずしもこのような構成に限定されるものではない。ギャザー用紐２１ｂは、破線的に等間隔で通すようにしてもよい。
【００６８】
また、本実施の形態においては、ギャザーを形成した後、調整部材５ｂを、隣り合う２つのカーテンランナー３，３間にそれぞれ係止する場合を例に挙げて説明したが、本考案は必ずしもこのような構成に限定されるものではない。調整部材５ｂを係止するかどうかは任意である。
【００６９】
また、本実施の形態においては、上記実施の形態２の上部カーテンにギャザー形成手段２１を設ける場合を例に挙げて説明したが、本考案は必ずしもこのような構成に限定されるものではない。基本となる上部カーテンの構成は任意である。
【符号の説明】
【００７０】
１  カーテン装置
２  カーテンレール
３  カーテンランナー
３ａ  フック掛け孔
４  カーテン
４ａ  カーテン本体
４ｂ，１８，２０  上部カーテン
５，５ａ，５ｂ，１２，１４  調整部材
６  係止ピン
６ａ  第１のピン
６ｂ  第２のピン
６ｃ，６ｄ  ピン受け
７  ボタン
７ａ  挿通部
８ａ，１３ａ  第１の係止孔
８ｂ，１３ｂ  第２の係止孔
９  カーテンフック
１０  ボタン孔
１１  リボン
１５  ベルト
１５ａ  環状部
１５ｂ  目盛り
１６  コキカン
１６ａ  枠体
１６ｂ  中軸
１６ｃ，１６ｄ  隙間
１７ａ  係止孔
１７ｂ  リング
１９  丈寸法調整部材
１９ａ  係止孔
２１  ギャザー形成手段
２１ａ  ギャザーテープ
２１ｂ  ギャザー用紐
【図１】
0003217821.tif 000003
【図２】
0003217821.tif 000004
【図３】
0003217821.tif 000005
【図４】
0003217821.tif 000006
【図５】
0003217821.tif 000007
【図６】
0003217821.tif 000008
【図７】
0003217821.tif 000009
【図８】
0003217821.tif 000010
【図９】
0003217821.tif 000011
【図１０】
0003217821.tif 000012
【図１１】
0003217821.tif 000013
【図１２】
0003217821.tif 000014
【図１３】
0003217821.tif 000015
【図１４】
0003217821.tif 000016
【図１５】
0003217821.tif 000017
【図１６】
0003217821.tif 000018
【図１７】
0003217821.tif 000019
【図１８】
0003217821.tif 000020
【図１９】
0003217821.tif 000021
【図２０】
0003217821.tif 000022